(57)【要約】【課題】液晶画面を備えた携帯電話において、液晶画面の見やすさを損なうことなく消費電力を削減すること。【解決手段】液晶画面の全表示領域のうち、Ｙ１〜ＹＮとＸ１〜ＸＭとで囲まれた表示領域を、他の表示領域に比べ光の透過率がより小さい液晶、あるいは、光の反射率がより大きい液晶で構成する。また、Ｙ１〜ＹＮとＸ１〜ＸＭとで囲まれた表示領域には、過去に着信があったことを示す「着信あり」、現在時刻を示す時計、電池残量、電波状況の良否を示すアンテナマーク等、待ち受け時に必要な情報を表示する。つまり、他の表示領域に比べ光の透過率がより小さい領域、あるいは、光の反射率がより大きい領域を、待ち受け時表示領域として設定する。【選択図】      図２
2004312460.tif 000002
【特許請求の範囲】
【請求項１】
光の透過率または反射率が互いに異なる複数の表示領域を有する液晶画面と、
前記液晶画面の全領域を照射し、待ち受け時に消灯するバックライトと、
を備えることを特徴とする携帯電話装置。
【請求項２】
前記液晶画面において、光の透過率がより小さい領域または光の反射率がより大きい領域は、着信メッセージ表示領域または待ち受け時表示領域に設定される、
ことを特徴とする請求項１記載の携帯電話装置。
【発明の詳細な説明】
【０００１】
【発明の属する技術分野】
本発明は、液晶画面を備えた携帯電話装置に関する。
【０００２】
【従来の技術】
従来、携帯電話の液晶画面については、液晶パネル全面に同じ透過率の液晶が搭載されている場合が多い（例えば、特許文献１参照）。
【０００３】
【特許文献１】
特開２００３−８４２７６号公報
【０００４】
【発明が解決しようとする課題】
しかしながら、光の透過率が小さい液晶が液晶パネル全面に搭載されている場合、バックライトを点灯してもその光があまり透過しないので、明るく鮮明な表示にできず、色の再現性が良くないため、画面の見栄えが良くない。一方、光の透過率が大きい液晶が液晶パネル全面に搭載されている場合、バックライトがないと画面がほとんど見えないので、常にバックライトを点灯しておく必要があり、消費電力が大きくなってしまう。
【０００５】
本発明は、かかる点に鑑みてなされたものであり、液晶画面の見やすさを損なうことなく消費電力を削減することができる液晶画面を備えた携帯電話装置を提供することを目的とする。
【０００６】
【課題を解決するための手段】
本発明の携帯電話装置の液晶画面は、部分的に光の透過率または反射率が異なる複数の領域を備える構成を採る。この構成によれば、部分的に液晶へ入射する光の透過率または反射率を変えて、液晶表示の見え方を変えることができる。例えば、待ち受け時表示領域や着信メッセージ表示領域の透過率を他の領域の透過率に比べて小さくする、または、待ち受け時表示領域や着信メッセージ表示領域の反射率を他の領域の反射率に比べて大きくすることにより、待ち受け時にバックライトを点灯しなくても待ち受け時表示領域や着信メッセージ表示領域に表示される情報を読みとることができる。よって、待ち受け時の消費電力を削減することができる。
【０００７】
【発明の実施の形態】
以下、本発明の実施の形態について、図面を参照して説明する。図１は、本発明の一実施の形態に係る携帯電話の構成を示すブロック図である。図１に示す携帯電話は、アンテナ１と、無線通信部２と、キー操作部３と、制御部４と、液晶表示装置５とから構成される。また、液晶表示装置５は、液晶画面６と、液晶画面６全体を照射するバックライト７とから構成される。
【０００８】
アンテナ１で無線受信された信号は無線通信部２でダウンコンバートや、Ａ／Ｄ変換等の所定の無線処理を施された後、制御部４に入力される。制御部４は、着信時には、発信者の電話番号や、その電話番号と関連付けて登録されている発信者名等の着信メッセージを液晶表示装置５の液晶画面６に表示する。また、制御部４は、待ち受け時には、過去に着信があったことを示す「着信あり」や、現在時刻を示す時計や、電池残量や、電波状況の良否を示すアンテナマーク等、待ち受け時に必要な情報を液晶画面６に表示する。
【０００９】
また、携帯電話使用者がキー操作部３を用いて電話番号等をキー入力すると、制御部４は、液晶表示装置５のバックライト７を点灯させて、液晶画面６の表示を見やすくする。また、制御部４は、待ち受け時には、バックライト７を消灯し、また、液晶画面６の一部の領域だけを表示させる。
【００１０】
次いで、液晶画面６の構成について説明する。図２は液晶画面６の全表示領域を表示した状態の一例であり、図３は待ち受け時の液晶画面６の表示の一例である。
【００１１】
まず、図２において、液晶画面６には縦方向と横方向に複数の電極が並んでおり、電極に電圧を加えることにより情報を液晶に表示することができる。ここで、本実施の形態では、全表示領域のうち、縦方向のＹ１〜ＹＮの電極と横方向のＸ１〜ＸＭの電極とで囲まれた表示領域を、他の表示領域に比べ光の透過率がより小さい液晶、あるいは、光の反射率がより大きい液晶で構成する。また、図２に示すように、Ｙ１〜ＹＮとＸ１〜ＸＭとで囲まれた表示領域には、過去に着信があったことを示す「着信あり」、現在時刻を示す時計、電池残量、電波状況の良否を示すアンテナマーク等、待ち受け時に必要な情報を表示する。また、待ち受け時に必要な情報に加えて、着信時に、発信者の電話番号や、その電話番号と関連付けて登録されている発信者名等の着信メッセージをこの領域に表示するようにしてもよい。つまり、他の表示領域に比べ光の透過率がより小さい領域、あるいは、他の表示領域に比べ光の反射率がより大きい領域を、待ち受け時表示領域または着信メッセージ表示領域として設定する。
【００１２】
待ち受け時の画面表示は、図３に示すようになる。本実施の形態では、待ち受け時には、待ち受け時表示領域だけを表示させ、また、バックライト７を消灯する。しかし、Ｙ１〜ＹＮとＸ１〜ＸＭとで囲まれた表示領域（つまり、光の透過率がより小さい領域、あるいは、光の反射率がより大きい領域）が待ち受け時表示領域として設定されているため、バックライト７を消灯した場合でも、図３に示すように、待ち受け時表示領域を見やすく表示することができる。
【００１３】
次いで、本実施の形態に係る携帯電話の動作について説明する。図４は、本発明の一実施の形態に係る携帯電話の動作フロー図である。なお、以下の説明では、着信時には液晶画面の全表示領域を表示させる場合を一例に挙げて説明するが、上記のように、着信時にも、待ち受け時同様、一部の表示領域だけを表示するようにしてもよい。
【００１４】
まず、携帯電話のキー操作部３を用いて電源がオンされると（ステップＳ１）、制御部４が、液晶画面６の全表示領域を表示させると共に、バックライト７を点灯させ液晶画面６の全表示領域を照射する（ステップＳ２）。これにより「全画面表示状態」となる（ステップＳ３）。
【００１５】
その後、キー入力や着信がない状態が一定時間続くと（ステップＳ４〜Ｓ５）、待ち受け状態となり（ステップＳ６）、制御部４は、液晶画面６のＹ１〜ＹＮとＸ１〜ＸＭとで囲まれた透過率の小さい表示領域（待ち受け時表示領域）だけを表示させ、それ以外の透過率の大きい表示領域は表示させない。また、制御部４は、バックライト７を消灯させる（ステップＳ７）。これにより、上記図３に示すような、日付や現在時刻、電池残量や電波状況を示すマークなどのごく限られた情報のみを表示した「待ち受け表示状態」となる（ステップＳ８）。その後、再びキー入力や着信があると「全画面表示状態」となる（ステップＳ９、ステップＳ３）。
【００１６】
このように、本実施の形態によれば、待ち受け時表示領域の透過率が小さい（または、待ち受け時表示領域の反射率が大きい）ので、室内などの明るい場所では照明の光が液晶表示面で反射するため、「待ち受け表示状態」（ステップＳ８）においてバックライト７を点灯しなくても、携帯電話使用者は液晶画面の表示を読みとることができる。また、待ち受け時にバックライト７で消費していた電力を削減することができ、待ち受け時間を延ばすことができる。
【００１７】
また、「全画面表示状態」（ステップＳ３）においてのみ表示される領域（図２のＹ１〜ＹＮとＸ１〜ＸＭとで囲まれた領域以外の表示領域）は、透過率が大きい、または、反射率が小さい領域であるため、バックライト７の光の明るさがあまり減少せずに画面に届き表示が明るくなるので、画面表示の見栄えを良くできる。このような画面表示の見栄えが良い領域には、主に文字や画像等を表示する。なお、携帯電話に例えばカラー液晶を搭載した場合で、光の透過率が非常に小さい「完全反射型」の液晶と光の透過率が非常に大きい「完全透過型」の液晶を組み合わせた場合は、バックライト７を点灯した時に、光の透過率の小さい部分が光の透過率の大きい部分に比べて暗くなり、輝度の差が目立ちやすいことがある。よってこの場合には、光の透過率の小さい部分の輝度を高めるために、光の透過率の小さい部分だけカラーフィルタをなくしてモノクロ表示にするようにしてもよい。あるいは、光の透過率の小さい部分は黒色表示などにすることにより、光の透過率の大きい部分の表示をより見栄え良く引き立たせるようにしてもよい。
【００１８】
なお、本実施の形態では、図２や図３に示すように全表示領域を２つに分けた。しかし、これに限定されることなく、全表示領域を、２つ以上の複数の異なる透過率あるいは反射率の液晶で、２つ以上の複数の領域に分けて構成してもよい。
【００１９】
【発明の効果】
以上説明したように、本発明によれば、液晶画面の見やすさを損なうことなく消費電力を削減することができる。
【図面の簡単な説明】
【図１】本発明の一実施の形態に係る携帯電話の構成を示すブロック図
【図２】本発明の一実施の形態に係る携帯電話の液晶画面の表示例（全画面表示状態）
【図３】本発明の一実施の形態に係る携帯電話の液晶画面の表示例（待ち受け表示状態）
【図４】本発明の一実施の形態に係る携帯電話の動作フロー図
【符号の説明】
１  アンテナ
２  無線通信部
３  キー操作部
４  制御部
５  液晶表示装置
６  液晶画面
７  バックライト
【図１】
2004312460.tif 000003
【図２】
2004312460.tif 000004
【図３】
2004312460.tif 000005
【図４】
2004312460.tif 000006